(57)【要約】【課題】ストリーミング方式で提供されるコンテンツサービスにブックマーク機能を追加することにより、ユーザの利便性を高め、無線インターネットの回線使用料やコンテンツ使用料を削減し、不要なコンテンツの再生にかかる時間を節約できる、コンテンツサービスのブックマーク機能を有する携帯端末機及びその動作方法を提供する。【解決手段】コンテンツサービスのブックマーク機能を有する携帯端末機は、現在再生中のコンテンツの特定時点をブックマークする制御部と、ブックマークされたコンテンツの特定情報を保存する保存部と、保存された特定情報に基づいて、コンテンツを特定時点から再生する再生部と、を含んで構成されたことを特徴とする。【選択図】図１
2007037131.tif 000002
【特許請求の範囲】
【請求項１】
現在再生中のコンテンツの特定時点をブックマークする制御部と、
前記ブックマークされたコンテンツの特定情報を保存する保存部と、
前記保存された特定情報に基づいて、前記コンテンツを前記特定時点から再生する再生部と、
を含んで構成されたことを特徴とするコンテンツサービスのブックマーク機能を有する携帯端末機。
【請求項２】
前記コンテンツが、無線インターネットでストリーミングされて再生されることを特徴とする請求項１に記載のコンテンツサービスのブックマーク機能を有する携帯端末機。
【請求項３】
前記コンテンツが、前記保存部に保存されたデータに基づいて再生されることを特徴とする請求項１に記載のコンテンツサービスのブックマーク機能を有する携帯端末機。
【請求項４】
前記特定情報は、前記ブックマークされたコンテンツが再生された時間及び前記ブックマークされたコンテンツの再生時に開始する開始フレームを含んで構成されることを特徴とする請求項１に記載のコンテンツサービスのブックマーク機能を有する携帯端末機。
【請求項５】
前記ブックマークされた特定時点がストリーミングされるデータのＰフレームに該当する場合、前記開始フレームが前記Ｐフレームの直前のＩフレームであることを特徴とする請求項４に記載のコンテンツサービスのブックマーク機能を有する携帯端末機。
【請求項６】
前記ブックマークされた特定時点がストリーミングされるデータのＰフレームに該当する場合、前記開始フレームが前記Ｐフレームに最も近いＩフレームであることを特徴とする請求項４に記載のコンテンツサービスのブックマーク機能を有する携帯端末機。
【請求項７】
前記制御部は、ユーザのブックマーク入力信号に従って、前記コンテンツの特定時点をブックマークすることを特徴とする請求項１に記載のコンテンツサービスのブックマーク機能を有する携帯端末機。
【請求項８】
前記制御部は、前記現在再生中のコンテンツが中断した場合、前記中断した時点を特定時点として自動でブックマークすることを特徴とする請求項１に記載のコンテンツサービスのブックマーク機能を有する携帯端末機。
【請求項９】
前記ブックマークされたコンテンツの特定情報をコンテンツ提供サーバに送信する送信部と、
前記特定時点からの前記コンテンツのデータを前記コンテンツ提供サーバから受信する受信部と、
をさらに含んで構成されたことを特徴とする請求項１に記載のコンテンツサービスのブックマーク機能を有する携帯端末機。
【請求項１０】
ストリーミング方式でコンテンツを携帯端末機に提供するコンテンツ提供サーバであって、
携帯端末機から送信された特定時点がブックマークされたコンテンツの特定情報を保存し、その後、前記携帯端末機から前記特定情報を受信すると、前記特定時点からのコンテンツのデータを前記携帯端末機に伝送することを特徴とするコンテンツ提供サーバ。
【請求項１１】
現在再生中のコンテンツの特定時点をブックマークする段階と、
前記ブックマークされたコンテンツの特定情報を保存する段階と、
前記保存された特定情報に基づいて、前記コンテンツを前記特定時点から再生する段階と、
を含んで構成されることを特徴とするコンテンツサービスのブックマーク機能を有する携帯端末機の動作方法。
【請求項１２】
前記コンテンツが、無線インターネットでストリーミングされて再生されることを特徴とする請求項１１に記載のコンテンツサービスのブックマーク機能を有する携帯端末機の動作方法。
【請求項１３】
前記コンテンツが、携帯端末機に保存されたデータに基づいて再生されることを特徴とする請求項１１に記載のコンテンツサービスのブックマーク機能を有する携帯端末機の動作方法。
【請求項１４】
前記特定情報は、前記ブックマークされたコンテンツが再生された時間及び前記ブックマークされたコンテンツの再生時に開始する開始フレームを含んで構成されることを特徴とする請求項１１に記載のコンテンツサービスのブックマーク機能を有する携帯端末機の動作方法。
【請求項１５】
前記ブックマークされた特定時点がストリーミングされるデータのＰフレームに該当する場合、前記開始フレームが前記Ｐフレームの直前のＩフレームであることを特徴とする請求項１４に記載のコンテンツサービスのブックマーク機能を有する携帯端末機の動作方法。
【請求項１６】
前記ブックマークされた特定時点がストリーミングされるデータのＰフレームに該当する場合、前記開始フレームが前記Ｐフレームに最も近いＩフレームであることを特徴とする請求項１４に記載のコンテンツサービスのブックマーク機能を有する携帯端末機の動作方法。
【請求項１７】
前記ブックマークする段階が、前記現在再生中のコンテンツが中断した場合、前記中断した時点を特定時点として自動でブックマークすることを特徴とする請求項１１に記載のコンテンツサービスのブックマーク機能を有する携帯端末機の動作方法。
【請求項１８】
複数の前記保存された特定情報に基づいてブックマークリストを生成し、これを表示する段階をさらに含んで構成されることを特徴とする請求項１１に記載のコンテンツサービスのブックマーク機能を有する携帯端末機の動作方法。
【請求項１９】
前記ブックマークリストを編集する段階をさらに含んで構成されることを特徴とする請求項１８に記載のコンテンツサービスのブックマーク機能を有する携帯端末機の動作方法。
【請求項２０】
前記ブックマークされたコンテンツの特定情報をコンテンツ提供サーバに送信する段階と、
前記特定時点からの前記コンテンツのデータを前記コンテンツ提供サーバから受信する段階と、
をさらに含んで構成されることを特徴とする請求項１１に記載のコンテンツサービスのブックマーク機能を有する携帯端末機の動作方法。
【発明の詳細な説明】
【技術分野】
【０００１】
本発明は携帯端末機に関し、特に、携帯端末機のコンテンツサービスに関する。
【背景技術】
【０００２】
携帯端末機の発展により、現在の携帯端末機は、音声通話機能だけでなく、動画像データの保存及び再生機能を有しており、さらに、無線インターネットが可能である。従って、携帯端末機のユーザは、携帯端末機を利用して無線インターネットで多様なコンテンツサービスを利用できる。一般的なコンテンツとしては、映画、アニメーション、音楽ファイル、及びクリップボードなどのアプリケーションがある。携帯端末機のユーザは、このようなビデオファイル、オーディオファイル、又はアプリケーションファイルが、ストリーミングサービスで無線インターネットを介してコンテンツ提供サーバから携帯端末機に伝送されることによって、コンテンツサービスを利用することができる。このようなコンテンツサービスの利用時、携帯端末機のユーザは無線インターネットの回線使用料（例えば、パケット代など）とコンテンツ使用料とを支払う。
【発明の開示】
【発明が解決しようとする課題】
【０００３】
従来の携帯端末機によるコンテンツサービス利用方法においては、利用していたコンテンツサービスを中断し、所定時間後、再び中断したコンテンツサービスを利用しようとする場合、中断したコンテンツサービスを再び最初（中断したコンテンツの最初の部分）から利用しなければならないという煩雑さがあった。
【０００４】
また、従来の携帯端末機によるコンテンツサービス利用方法においては、前にコンテンツサービスを利用したコンテンツの特定部分のみを再び利用しようとする場合、直ちにコンテンツの特定部分のみを利用できず、最初から再びコンテンツサービスを受けながらコンテンツの特定部分を探さなければならないという煩雑さがあった。
【０００５】
このため、ユーザは、再利用という形で、不要に無線インターネットの回線使用料とコンテンツ使用料とを支払わなければならず、その利用に長時間を費やすという問題があった。
【０００６】
本発明は、このような従来技術の問題を解決するためになされたもので、ストリーミング方式で提供されるコンテンツサービスにブックマーク機能を追加することで、所望の時点から継続して直ちにコンテンツサービスを受けることができ、ユーザの利便性を向上させることが可能な、コンテンツサービスのブックマーク機能を有する携帯端末機及びその動作方法を提供することを目的とする。
【０００７】
また、本発明の他の目的は、ストリーミング方式で提供されるコンテンツサービスにブックマーク機能を追加することにより、不要なコンテンツの再生に対して支払う無線インターネットの回線使用料やコンテンツ使用料等を削減することができる、コンテンツサービスのブックマーク機能を有する携帯端末機及びその動作方法を提供することにある。
【０００８】
さらに、本発明の他の目的は、ストリーミング方式で提供されるコンテンツサービスにブックマーク機能を追加することにより、不要なコンテンツの再生にかかる時間を節約することができる、コンテンツサービスのブックマーク機能を有する携帯端末機及びその動作方法を提供することにある。
【課題を解決するための手段】
【０００９】
このような目的を達成する本発明のコンテンツサービスのブックマーク機能を有する携帯端末機は、現在再生中のコンテンツの特定時点をブックマークする制御部と、前記ブックマークされたコンテンツの特定情報を保存する保存部と、前記保存された特定情報に基づいて、前記コンテンツを前記特定時点から再生する再生部と、を含んで構成されたことを特徴とする。
【００１０】
この携帯端末機において、前記コンテンツが、無線インターネットでストリーミングされて再生されるとよく、前記コンテンツが、前記保存部に保存されたデータに基づいて再生されるとよい。
【００１１】
前記特定情報は、前記ブックマークされたコンテンツが再生された時間及び前記ブックマークされたコンテンツの再生時に開始する開始フレームを含んで構成されるとよい。
【００１２】
前記ブックマークされた特定時点がストリーミングされるデータのＰフレームに該当する場合、前記開始フレームが前記Ｐフレームの直前のＩフレームであるとよく、前記ブックマークされた特定時点がストリーミングされるデータのＰフレームに該当する場合、前記開始フレームが前記Ｐフレームに最も近いＩフレームであるとよい。
【００１３】
前記制御部は、ユーザのブックマーク入力信号に従って、前記コンテンツの特定時点をブックマークするとよく、前記制御部は、前記現在再生中のコンテンツが中断した場合、前記中断した時点を特定時点として自動でブックマークするとよい。
【００１４】
以上の本発明に従う携帯端末機は、前記ブックマークされたコンテンツの特定情報をコンテンツ提供サーバに送信する送信部と、前記特定時点からの前記コンテンツのデータを前記コンテンツ提供サーバから受信する受信部と、をさらに含んで構成されると好ましい。
【００１５】
また、本発明では、ストリーミング方式でコンテンツを携帯端末機に提供するコンテンツ提供サーバであって、携帯端末機から送信された特定時点がブックマークされたコンテンツの特定情報を保存し、その後、前記携帯端末機から前記特定情報を受信すると、前記特定時点からのコンテンツのデータを前記携帯端末機に伝送することを特徴とするコンテンツ提供サーバを提供する。携帯端末機から送信されてくる特定情報は、ブックマークされたコンテンツが再生された時間、ブックマークされたコンテンツのブックマークされたフレーム（キーフレーム）、ブックマークされたコンテンツの再生時に再び開始するフレーム（開始フレーム）、ブックマークされたコンテンツを提供していたＵＲＬ（Uniform Resource Locator）、ブックマークされたコンテンツサービスを受けていた携帯端末機の認証情報及び識別番号を含んで構成されていると好ましい。
【００１６】
さらに、本発明では、現在再生中のコンテンツの特定時点をブックマークする段階と、前記ブックマークされたコンテンツの特定情報を保存する段階と、前記保存された特定情報に基づいて、前記コンテンツを前記特定時点から再生する段階と、を含んで構成されることを特徴とするコンテンツサービスのブックマーク機能を有する携帯端末機の動作方法をも提供する。
【００１７】
この方法において、前記コンテンツが、無線インターネットでストリーミングされて再生されるとよく、前記コンテンツが、携帯端末機に保存されたデータに基づいて再生されるとよい。
【００１８】
前記特定情報は、前記ブックマークされたコンテンツが再生された時間及び前記ブックマークされたコンテンツの再生時に開始する開始フレームを含んで構成されるとよい。
【００１９】
前記ブックマークされた特定時点がストリーミングされるデータのＰフレームに該当する場合、前記開始フレームが前記Ｐフレームの直前のＩフレームであるとよく、前記ブックマークされた特定時点がストリーミングされるデータのＰフレームに該当する場合、前記開始フレームが前記Ｐフレームに最も近いＩフレームであるとよい。
【００２０】
前記ブックマークする段階が、前記現在再生中のコンテンツが中断した場合、前記中断した時点を特定時点として自動でブックマークするとよい。
【００２１】
また、この方法では、複数の前記保存された特定情報に基づいてブックマークリストを生成し、これを表示する段階をさらに含んで構成されるとよい。また、前記ブックマークリストを編集する段階をさらに含んで構成されると好ましい。
【００２２】
さらに、この方法では、前記ブックマークされたコンテンツの特定情報をコンテンツ提供サーバに送信する段階と、前記特定時点からの前記コンテンツのデータを前記コンテンツ提供サーバから受信する段階と、をさらに含んで構成されるとよい。
【発明の効果】
【００２３】
本発明によるコンテンツサービスのブックマーク機能を有する携帯端末機及びその動作方法は、ストリーミング方式で提供されるコンテンツサービスにブックマーク機能を追加することで、直ちに所望のコンテンツサービスを継続して受けることができるので、ユーザの利便性を向上させることができるという効果がある。
【００２４】
また、本発明によるコンテンツサービスのブックマーク機能を有する携帯端末機及びその動作方法は、ストリーミング方式で提供されるコンテンツサービスにブックマーク機能を追加することで、不要なコンテンツの再生に対して支払う無線インターネットの回線使用料及びコンテンツ使用料を削減できるという効果がある。
【００２５】
さらに、本発明によるコンテンツサービスのブックマーク機能を有する携帯端末機及びその動作方法は、ストリーミング方式で提供されるコンテンツサービスにブックマーク機能を追加することで、不要なコンテンツの再生に要する時間を節約できるという効果がある。
【発明を実施するための最良の形態】
【００２６】
以下、ストリーミング方式で提供されるコンテンツサービスにブックマーク機能を追加することで、ユーザの利便性を高め、無線インターネットの回線使用料及びコンテンツ使用料を削減し、不要なコンテンツ部分の再度の再生を抑えて閲覧時間を節約できる、本発明に係るコンテンツサービスのブックマーク機能を有する携帯端末機及びその動作方法の好ましい一実施形態を添付図面を参照して説明する。
【００２７】
本発明の説明において、関連の公知機能又は構成に関する具体的な説明が本発明の要旨を不明確にすると判断される場合は、その詳細な説明を適宜省略する。
【００２８】
図１は、本発明の一実施形態に係るコンテンツサービスのブックマーク機能を有する携帯端末機の構成を示すブロック図である。
【００２９】
図１に示すように、本発明の一実施形態に係るコンテンツサービスのブックマーク機能を有する携帯端末機は、現在再生中のコンテンツの特定時点をブックマークする制御部１１と、ブックマークされたコンテンツの特定情報を保存する保存部１２と、保存された特定情報に基づいて、コンテンツを特定時点から再生する再生部１３と、を含んで構成される。
【００３０】
また、本発明の一実施形態に係るコンテンツサービスのブックマーク機能を有する携帯端末機は、保存された特定情報をコンテンツ提供サーバに送信する送信部１５と、保存された特定情報に基づいて、特定時点からのコンテンツのデータをコンテンツ提供サーバから受信する受信部１４と、をさらに含んで構成される。
【００３１】
以下、本発明の一実施形態に係るコンテンツサービスのブックマーク機能を有する携帯端末機の動作を、図２に基づいて説明する。
【００３２】
図２は、本発明の一実施形態に係るコンテンツサービスのブックマーク機能を有する携帯端末機の動作方法を示すフローチャートである。
【００３３】
図２に示すように、本発明の一実施形態に係るコンテンツサービスのブックマーク機能を有する携帯端末機の動作方法は、現在再生中のコンテンツの特定時点をブックマークする段階（Ｓ２１）と、このブックマークされたコンテンツの特定情報を保存する段階（Ｓ２２）と、この保存された特定情報に基づいて、コンテンツを特定時点から再生する段階（Ｓ２３）と、を含んで構成される。
【００３４】
また、本発明の一実施形態に係るコンテンツサービスのブックマーク機能を有する携帯端末機の動作方法は、保存された特定情報をコンテンツ提供サーバに送信する段階と、保存された特定情報に基づいて、特定時点からのコンテンツのデータをコンテンツ提供サーバから受信する段階と、複数の保存された特定情報に基づいてブックマークリストを生成し、これを表示する段階と、をさらに含んで構成される。なお、特定情報のほか、携帯端末機の識別情報を送信するようにしてもよい。
【００３５】
以下、このような本発明の一実施形態に係るコンテンツサービスのブックマーク機能を有する携帯端末機の動作方法をより詳細に説明する。
【００３６】
まず、制御部１１は、現在再生中のコンテンツの特定時点をブックマークする。ここで、制御部１１は、ユーザのブックマーク入力信号によりコンテンツの特定時点をブックマークすることができ、また、コンテンツサービスが突然中断した場合など、この中断した時点を特定時点に設定して自動でブックマークすることもできる。この制御部１１への入力信号は、従来技術による携帯端末機のキーパッドや別途の入力ボタンを利用して発生させることができる。
【００３７】
次に、保存部１２は、ブックマークされたコンテンツの特定情報を保存する。ここで、特定情報とは、ブックマークされたコンテンツが再生された時間、ブックマークされたコンテンツのブックマークされたフレーム（以下、キーフレームという）、ブックマークされたコンテンツの再生時に再び開始するフレーム（以下、開始フレームという）、ブックマークされたコンテンツを提供していたＵＲＬ（Uniform Resource Locator）、ブックマークされたコンテンツサービスを受けていた携帯端末機の認証情報や、その識別番号などを含んで構成されている。また、ブックマークされた特定時点が、ストリーミングされるコンテンツデータのＰフレームに該当する場合、携帯端末機は、Ｐフレームの直前のＩフレームを開始フレームとするか、又はＰフレームに最も近いＩフレームを開始フレームとする。
【００３８】
以下、図３を参照して説明する。
【００３９】
図３は本発明の一実施形態に係るコンテンツサービスのブックマーク機能を有する携帯端末機において、ブックマーク時点と開始時点との関係を示す図である。図３においては、４ｆｐｓ（frame per second）のコンテンツがストリーミングされていると仮定する。
【００４０】
ユーザの命令による制御部１１のブックマーク時点が、Ｉフレームであるａ秒フレームの場合、キーフレームとして保存されるフレームは、ａ秒フレームであり、保存部１２は、ａ秒フレームを開始フレームに設定して保存する。
【００４１】
一方、ユーザの命令による制御部１１のブックマーク時点が、Ｐフレームであるａ−１秒フレームの場合は、キーフレームとして保存されるフレームは、ａ−１秒フレームであり、保存部１２は、ａ−１秒フレームに最も近いＩフレームであるａ秒フレームを開始フレームに設定して保存するか、又はａ−１秒フレームの直前のＩフレームであるａ−３秒フレームを開始フレームに設定して保存する。
【００４２】
同様の方法で、ユーザの命令による制御部１１のブックマーク時点が、Ｐフレームであるａ＋１秒フレームの場合、保存部１２は、ａ秒フレームを開始フレームに設定して保存する。
【００４３】
また、保存部１２は、コンテンツの特定情報を複数保存することができる。制御部１１は、保存された複数のコンテンツの特定情報に基づいてブックマークリストを生成し、管理する。
【００４４】
図４を参照して、ブックマークリストを説明する。
【００４５】
図４は、本発明の一実施形態に係るコンテンツサービスのブックマーク機能を有する携帯端末機のブックマークリストの一例を示す図である。
【００４６】
図４に示すように、ブックマークリストには、ブックマークされたコンテンツの特定情報を保存した４項目が示されている。ここで、ブックマークリストのそれぞれの項目は、項目名やメモなどを含んで構成される。また、ユーザは、ブックマークリストのそれぞれの項目を削除したり、ブックマークリストのそれぞれの項目の項目名又はメモを変更してブックマークリストを編集することができる。ここで、ブックマークリストは、図４に示す形式に限定されるものではなく、これを多様に変更して実現できる。
【００４７】
本発明の一実施形態に係るコンテンツサービスのブックマーク機能を有する携帯端末機のユーザが、ブックマークしたコンテンツサービスを利用しようとする場合、ユーザの命令によりブックマーク機能が実行され、ブックマークリストから所望の項目が選択される。
【００４８】
次に、送信部１５は、ユーザによって選択された項目に該当する特定情報をコンテンツ提供サーバ（図示せず）に送信する。
【００４９】
その後、コンテンツ提供サーバは、ユーザによって選択された項目に該当する特定情報を送信部１５から受信し、この受信した特定情報に基づいて、コンテンツの特定時点（開始フレーム）以後のデータフレームを携帯端末機に伝送する。例えば、特定情報が２０分時点にブックマークされた「映画１」に関するものである場合、コンテンツ提供サーバは、「映画１」の２０分時点以後のデータフレームを携帯端末機に伝送する。
【００５０】
その後、受信部１４は、ユーザによって選択された項目に該当する特定情報に基づいて、コンテンツの特定時点（開始フレーム）以後のデータフレームをコンテンツ提供サーバから受信する。すなわち、受信部１４は、「映画１」の２０分時点以後のデータフレームをコンテンツ提供サーバから受信する。
【００５１】
再生部１３は、受信したデータフレームに基づいて、コンテンツを特定時点から再生する。すなわち、再生部１３は、受信した２０分時点以後のデータフレームに基づいて、２０分経過した「映画１」を再生する。
【００５２】
一方、本発明の一実施形態に係るコンテンツサービスのブックマーク機能を有する携帯端末機は、ＷＡＰブラウザで無線インターネットに接続した後、ＶＯＤプレーヤなどのアプリケーションプログラムを利用してコンテンツ提供サーバからコンテンツサービスを受けることもでき、ＷＡＰブラウザを実行させずに直接ＶＯＤプレーヤなどのアプリケーションプログラムを利用してコンテンツ提供サーバからコンテンツサービスを受けることもできる。
【００５３】
前述したコンテンツは、無線インターネットでストリーミングされて再生されるオーディオファイル、ビデオファイル、又はアプリケーションファイルであるが、これらに限定されず、携帯端末機に保存されているデータファイル、すなわち、オーディオファイル、ビデオファイル、又はアプリケーションファイルをも含む。
【００５４】
コンテンツが携帯端末機に保存されたデータファイルの場合、本発明の一実施形態による携帯端末機は、ブックマークされたコンテンツの特定情報をコンテンツ提供サーバに提供せず、自身のメモリに保存されたデータファイルのうち該当するデータを読み出して再生する。
【００５５】
以上、添付図面に基づいて本発明の一実施形態を説明したが、これらは例示にすぎず、本発明の属する技術の分野における通常の知識を有する者であれば、これらから多様な変形及び均等な他の実施形態が可能であることは自明である。従って、本発明の権利範囲は、添付した特許請求の範囲の技術的思想により決定されるべきである。
【図面の簡単な説明】
【００５６】
【図１】本発明の一実施形態に係るコンテンツサービスのブックマーク機能を有する携帯端末機の構成を示すブロック図である。
【図２】本発明の一実施形態に係るコンテンツサービスのブックマーク機能を有する携帯端末機の動作方法を示すフローチャートである。
【図３】本発明の一実施形態に係るコンテンツサービスのブックマーク機能を有する携帯端末機において、ブックマーク時点と開始時点の関係を示す図である。
【図４】本発明の一実施形態に係るコンテンツサービスのブックマーク機能を有する携帯端末機のブックマークリストの一例を示す図である。
【符号の説明】
【００５７】
１１  制御部
１２  保存部
１３  再生部
１４  受信部
１５  送信部
【図１】
2007037131.tif 000003
【図２】
2007037131.tif 000004
【図３】
2007037131.tif 000005
【図４】
2007037131.tif 000006